(57)【要約】【課題】複数の部材を組み合わせて構成する遊技部材であっても、抜け落ちる虞のない構造の遊技機を提供することを目的とする。【解決手段】  本発明に係る遊技機は、遊技盤２ａと、爪部３２を備えるレンズ体３１と、爪部３２と係合する係止部３３ａを有し、当該係止部３３ａで爪部３２を係止してレンズ体３１を保持する第２の部材３３と、遊技盤２ａに取り付けられ、第２の部材３３と係合するとともに、爪部３２と係止部３３ａとの係合が解除されるのを規制する抜け止め部３４ａを有する第３の部材３４とを備えるので、レンズ体３１が第２の部材３３から抜け落ちることを防止することができる。【選択図】      図４
2006068165.tif 000002
【特許請求の範囲】
【請求項１】
遊技盤と、
第１の係止部を備える第１の部材と、
前記第１の係止部と係合する第２の係止部を有し、当該第２の係止部で前記第１の係止部を係止して前記第１の部材を保持する第２の部材と、
前記遊技盤に取り付けられ、前記第２の部材と係合するとともに、前記第１の係止部と前記第２の係止部との係合が解除されるのを規制する規制部を有する第３の部材と、
を備えることを特徴とする遊技機。
【請求項２】
前記第１の係止部として爪部を備えて光透過性を有する第１の部材と、
前記爪部と係合する第２の係止部として段部を備え、
当該段部で前記爪部を係止して前記第１の部材を保持する第２の部材と、
前記遊技盤に取り付けられ、前記第２の部材と係合するとともに、前記爪部と前記段部との係合が解除されるのを規制する規制部としての壁部を有する第３の部材と、
を備えることを特徴とする請求項１記載の遊技機。
【請求項３】
前記第２の部材は、前記爪部の側方への動きを規制する凹部を備えることを特徴とする請求項２記載の遊技機。
【請求項４】
前記壁部は、前記爪部と段部が係合した状態で嵌め込まれる孔を構成することを特徴とする請求項２または３記載の遊技機。
【発明の詳細な説明】
【技術分野】
【０００１】
本発明は、遊技機に関し、特に前面に電飾が施されてなるパチンコ遊技機やスロットマシン等の遊技機に適用して有効な技術に関するものである。
【背景技術】
【０００２】
従来、電飾表示部は、左右対称形態の着脱可能な大型のレンズにより一括して覆う構成とし、組み付け時等における利便性を向上させている。組み付け時には裏面側縁に形成された複数のフックが枠本体に形成された各係止穴と弾性的に係合するようになっている。（例えば、特許文献１）。
【特許文献１】特開２０００−２３７３８６号公報
【発明の開示】
【発明が解決しようとする課題】
【０００３】
しかしながら、従来技術では、特に補強部材を用いることなく、フックを係止穴と弾性的に係合するようにしていただけであるため、複数の部材を組み合わせて構成する遊技部材（例えば、光透過部材であるレンズ（レンズ体）の係合）の場合、抜け落ちてしまう虞があった。
【０００４】
そこで、本発明は、複数の部材を組み合わせて構成する遊技部材であっても、抜け落ちる虞のない構造の遊技機を提供することを目的とする。
【課題を解決するための手段】
【０００５】
上記課題を解決するため、本発明に係る遊技機は、遊技盤（遊技盤２ａ）と、第１の係止部（爪部３２）を備える第１の部材（レンズ体３１（３１ａ，３１ｂ，３１ｃ））と、第１の係止部と係合する第２の係止部（係止部３３ａ）を有し、当該第２の係止部で第１の係止部を係止して第１の部材を保持する第２の部材（第２の部材３３）と、遊技盤に取り付けられ、第２の部材と係合するとともに、第１の係止部と第２の係止部との係合が解除されるのを規制する規制部（抜け止め部３４ａ）を有する第３の部材（第３の部材３４）とを備えることを特徴とする。
【０００６】
これにより、第１の部材が第２の部材から抜け落ちることを防止することができる。
【０００７】
本発明の好ましい形態において、第１の係止部として爪部（爪部３２）を備えて光透過性を有する第１の部材と、爪部と係合する第２の係止部として段部を備え、当該段部で爪部を係止して第１の部材を保持する第２の部材と、遊技盤に取り付けられ、第２の部材と係合するとともに、爪部と段部との係合が解除されるのを規制する規制部としての壁部（抜け止め部３４ａ）を有する第３の部材とを備えることを特徴とする。
【０００８】
これにより、第１の係止部である爪部と第２の係止部の段部とが係合した状態が解除されるのを第３の部材に備えられた規制部としての壁部で規制するため、抜け落ちを防止することができるとともに、規制部として壁部を立設するだけなので簡易な構造で抜け落ちを防止することができる。
【０００９】
本発明のさらに好ましい形態において、第２の部材は、爪部の側方への動きを規制する凹部（凹部３３ｂ）を備えることを特徴とする。
【００１０】
これにより、爪部は、側方への動きを規制されるので、より確実に抜け落ちを防止することができる。
【００１１】
本発明のさらに好ましい形態において、壁部は、爪部と段部が係合した状態で嵌め込まれる孔（抜け止め部３４ａ）を構成することを特徴とする。
【００１２】
これにより、壁部として、爪部と段部とが係合した状態で嵌め込まれる孔を構成したことで、爪部と段部とが係合された状態で孔に嵌め込まれれば、抜け落ちをより確実に防止することができるとともに、孔の内壁部が壁部として機能するので、高さ方向を縮めることが可能となる。
【発明の効果】
【００１３】
本発明によれば以下の効果を奏することができる。
【００１４】
すなわち、本発明によれば、第３の部材が、第１の係止部と第２の係止部との係合が解除されるのを規制する規制部を有しているので、第１の部材が第２の部材から抜け落ちることを防止することができる。
【００１５】
また、本発明によれば、第１の係止部である爪部と第２の係止部の段部とが係合した状態が解除されるのを第３の部材に備えられた規制部としての壁部で規制するため、抜け落ちを防止することができるとともに、規制部として壁部を立設するだけなので簡易な構造で抜け落ちを防止することができる。
【００１６】
また、本発明によれば、第２の部材は、爪部の側方への動きを規制する凹部を備えるため、爪部は、側方への動きを規制されるので、より確実に抜け落ちを防止することができる。
【００１７】
また、壁部として、爪部と段部とが係合した状態で嵌め込まれる孔を構成したことで、爪部と段部とが係合された状態で孔に嵌め込まれれば、抜け落ちをより確実に防止することができるとともに、孔の内壁部が壁部として機能するので、高さ方向を縮めることが可能となる。
【発明を実施するための最良の形態】
【００１８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１９】
図１は本発明の一実施の形態である遊技機を示す斜視図、図２は図１の遊技機の遊技盤を示す概略図、図３は図２の遊技盤に設けられた電飾部材を示す斜視図、図４は図３の電飾部材の分解斜視図、図５は図３の電飾部材の背面側を示す分解斜視図、図６は図３の電飾部材の要部を示す断面図、図７は図５のレンズ体の爪部を第２の部材の第２の係止部に係止させた場合を示す説明図、図８は第３の部材に、図７の第２の部材を係合するとともに、爪部の先端を抜け止め部に嵌め込んだ場合を示す説明図である。
【００２０】
図１および図２に示すように、パチンコ遊技機（遊技機）１は、遊技盤２ａが装着された本体枠３ａがヒンジを介してベース枠３ｂに回動可能に取り付けられ、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００２１】
遊技盤２ａは、そのレール６に包囲された遊技領域２ｂに、多数の遊技くぎや風車などの障害物（図示せず）、一般入賞口、始動口１２ａ，１２ｂ、大入賞口１３、アウト口１４、始動ゲート１５、普通図柄表示装置（図示せず）、特別図柄表示装置（図示せず）、電飾部材３０などからなる遊技部材が配置されている。
【００２２】
ここで、一般入賞口は、遊技球が入賞すると所定の数の遊技球が払い戻される装置、始動口１２ａ，１２ｂは、遊技球が入賞すると特別図柄表示装置の複数の図柄を変動・停止させる装置、始動ゲート１５は、遊技球が通過したことを契機として普通図柄表示装置の複数の図柄を変動・停止させる装置、大入賞口１３は、特別図柄表示装置の停止時における図柄の組み合わせが予め設定された特定の図柄の組み合わせとなって特別遊技状態に移行した場合に開放状態となる装置である。また、アウト口１４は、一般入賞口、始動口１２ａ，１２ｂ、大入賞口１３の何れにも入賞しなかった遊技球が流入して回収される装置である。そして、特別図柄表示装置は、例えば液晶ディスプレイ、ＣＲＴ（陰極線管）あるいはプラズマディスプレイ等からなり、画像信号入力に基づいて任意の画像を表示する装置である。また、電飾部材３０は、図２および図３に示すように、レール６に沿ってカーブを描くような形状をしており、光透過性を有する第１の部材であるレンズ体３１を備えている。
【００２３】
本実施の形態において、遊技盤２ａは、たとえばポリカーボネートなど透光性を有する樹脂からなり、前述した特別図柄表示装置は、このような遊技盤２ａの背後に配置され、遊技盤２ａを通して視認可能になっている。
【００２４】
但し、遊技盤２ａは透光性を有してさえいれば、ポリカーボネート以外の部材であってもよいし、スモークがかかったような半透明の部材でもよい。また、後述するランプ４１が光を照射する位置で且つ光透過性を有する第１の部材であるレンズ体３１と対向する位置以外の部分においては、透光性を有していなくてもよい。そのため、透過性を有していない部分においては、例えば木製などの部材を用いてもよい。また、特別図柄表示装置は、遊技盤２ａに開口された表示窓を介して視認可能に配置されてもよい。
【００２５】
なお、図２において、始動口１２ａ，１２ｂ、大入賞口１３、アウト口１４、始動ゲート１５、電飾部材３０以外の遊技部材は、図示が省略されている。
【００２６】
図１において、遊技盤２ａの下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２ａの遊技領域へ遊技球を打ち込む際に回動操作される発射ハンドル７が設けられている。さらに、遊技終了時などにおいて上皿５ａに貯留された遊技球を下皿５ｂに移動させて取り出す場合に操作されるシャッタレバー１０が設けられている。
【００２７】
なお、ガラス扉４の上部の左右には、スピーカ８ａ，８ｂがそれぞれ配置されている。
【００２８】
ここで、図２に詳しく示すように、始動口は、遊技盤２ａに向かって中央に位置する第１の始動口１２ａと右側に位置する第２の始動口１２ｂの２つが設けられている。
【００２９】
なお、本実施の形態において、第１の始動口１２ａおよび第２の始動口１２ｂは、何れもが入賞（つまり、遊技球が入賞したときに特別図柄表示装置の複数の図柄を変動・停止させ得る機能）が有効となっているが、一方のみが有効となっていてもよい。あるいは、一方が入賞が有効で、他方が一般入賞口としての動作を行うようになっていてもよい。
【００３０】
次に、図４〜図８を用いて電飾部材３０の構成について説明する。
【００３１】
図４は、図３の電飾部材の分解斜視図である。
【００３２】
図４に示すように、電飾部材３０は、レンズ体３１と、第２の部材３３と、第３の部材３４とを備えている。
【００３３】
そして、レンズ体３１の周縁には、第１の係止部であり突起である爪部３２が２箇所に形成されている。
【００３４】
第２の部材３３は、爪部３２を係止する第２の係止部３３ａが爪部３２に対応する位置に形成されており、当該第２の係止部３３ａで、対応する爪部３２を係止してレンズ体３１を保持するようになっている。また、第２の部材３３は、図５に示すように爪部３２の側方への動きを規制する凹部３３ｂを備えるため、爪部３２は、側方への動きを規制されるので、より確実に抜け落ちを防止することができる。  
【００３５】
第３の部材３４は、遊技盤２ａの遊技領域２ｂに取り付けられるようになっており、また、第２の部材３３と係合することが可能になっている。なお、第２の部材３３と第３の部材３４が係合すると、図８に示すように、第２の部材３３が、第３の部材３４を覆うような形態となる。
【００３６】
なお、第２の部材３３と第３の部材３４の係合は、第３の部材３４の後述する抜け止め部（規制部，壁部）３４ａと、第２の部材３３の第２の係止部３３ａとを係合させることにより行ってもよいし（図６（ｃ）参照）、それぞれ他の部分を係合させることにより行ってもよい。
【００３７】
また、第３の部材３４には、爪部３２の係止が解除される方向への変形を規制する抜け止め部３４ａが、爪部３２に対応する位置に形成されている（図４〜図６参照）。
【００３８】
なお、上記第２の部材３３および第３の部材３４には、レンズ体３１を保持する位置にそれぞれ開口孔が形成されている。
【００３９】
電飾部材３０の構造についてさらに具体的に説明すると、爪部３２は、レンズ体の周縁の背面から延びており、係止を可能にするために先端がＬ字型の構造になっている（図６（ａ）参照）。
【００４０】
第２の係止部３３ａは、第２の部材３３の背面側で、且つ上述の爪部３２に対応する位置に設けられており、爪部３２のＬ字型の部分を係止するために頭頂部が平らになっている（図６（ｂ）参照）。すなわち、爪部３２のＬ字の部分を第２の係止部３３ａの頭頂部に引っ掛けることにより係止される。
【００４１】
抜け止め部３４ａは、第３の部材３４の表面側で、且つ上述の爪部３２に対応する位置に設けられており、貫通した孔となっている。そして、当該孔に爪部３２の先端部分および第２の係止部３３ａの先端部分を嵌め込むことにより、爪部３２と第２の係止部３３ａとの係合が解除されるのを規制するようになる。つまり、爪部３２の係止が解除される方向への変形を規制する（図６（ｃ）参照）。
【００４２】
ここで、抜け止め部３４ａは、爪部３２と第２の係止部３３ａとが嵌め込まれる孔である。なお、当該抜け止め部３４ａは、図５〜図８に示すように、貫通していてもよいし、貫通していなくともよい。
【００４３】
また、本実施の形態においては、抜け止め部３４ａに、爪部３２と第２の係止部３３ａが嵌め込まれるが、抜け止め部３４ａは、爪部３２の係止が解除される方向への変形さえ規制できればよいので、必ずしも第２の係止部３３ａが抜け止め部３４ａに嵌め込まれる必要はない。例えば、抜け止め部３４ａは、爪部３２のみ嵌め込まれる孔であってもよい。その場合、第２の部材３３と第３の部材３４は、他の部分により係合される。
【００４４】
また、電飾部材３０は、上述したように、光を透過するレンズ体３１を備えているが、本実施の形態においては、図２〜図４に示すように、レンズ体３１として、３１ａ，３１ｂ，３１ｃの３つが採用されている。これらのレンズ体３１ａ，３１ｂ，３１ｃは、ポリカーボネート系などの所定の合成樹脂材料を原料として用い、これに射出成形処理を施すことによって形成されている。
【００４５】
また本実施の形態では、各レンズ体３１の周縁には、それぞれ爪部３２が２箇所に形成されているが、これに限られず、３つ以上形成されていてもよいし、１つのみ形成されていてもよい。また、本発明において、爪部３２が形成される箇所はレンズ体３１の周縁に限られない。
【００４６】
さらに、本発明では、各レンズ体３１の形状は特に限定していない。そのため、多角形であってもよいし、円形であってもよい。
【００４７】
次に図９を用いて、電飾部材３０、遊技盤２ａおよびベース盤４０の関係について説明する。
【００４８】
図９に示すように、上記光照射部材は、三つのレンズ体３１に対応したランプ４１であり、これらのランプ４１は、ベース盤４０に取り付けられている。
【００４９】
そして、ベース盤４０の前面側に遊技盤２ａが取り付けられるようになっており、さらに、当該遊技盤２ａの前面側で且つ上述のランプ４１と対向した位置には、電飾部材３０が取り付けられるようになっている。
【００５０】
また、前述したように、遊技盤２ａにおいて、ランプ４１からの光が照射され且つレンズ体３１に対向する部分については透光性を有しているため、ランプ４１から照射される光は遊技盤２ａを透過してレンズ体３１に到達する。そしてさらに、レンズ体３１も光を透過するため、ランプ４１から照射される光は、レンズ体３１の前面側に照射されることとなり、遊技者に認知される。
【００５１】
以上、本発明の実施の形態を説明したが、これは本発明を具体的に例示したに過ぎず、特に本発明を限定するものではない。
【００５２】
また、本実施の形態においては、レンズ体３１には、第１の係止部としての爪部３２が形成されているが、本発明は、これに限定されるものではない。例えば、当該爪部３２は、第２の部材に形成されていてもよい。
【００５３】
さらに、本実施の形態においては、第１の係止部は爪部３２であるが、これに限定されず、第１の係止部は、レンズ体３１と第２の部材３３とを係合できるものであれば種々の構造を採用することができる。
【００５４】
また、本実施の形態においては、ランプ４１は複数個取り付けられているが、本発明はランプ４１の個数に関して特に限定していない。例えば、当該ランプ４１は１つであってもよい。
【００５５】
また、本実施の形態においては、光照射部材としてランプが用いられているが、本発明は光照射部材がランプであることに限定されるものではない。例えば、光照射部材としてＬＥＤ（発光ダイオード）を採用してもよい。
【００５６】
さらに、本実施の形態においては、爪部３２と第２の係止部３３ａは、図６（ｂ）に示すとおり爪部３２のＬ字の部分を第２の係止部３３ａの頭頂部に引っ掛けることにより係止されるが、これに限られず、係止部３３ａに段部を設け、当該段部に爪部３２を挿入することにより係合されてもよい。
【００５７】
また、上述のように、本実施の形態においては、抜け止め部３４ａは開口孔であるが、これに限られず、段部と係合する爪部３２の背後から支持することにより、爪部３２と段部との係合が解除されるのを規制する壁部であってもよい。
【００５８】
このように、本実施の形態によれば、第３の部材３４が、爪部３２と第２の係止部３３ａとの係合が解除されるのを規制する抜け止め部３４ａを有しているので、レンズ体３１が第２の部材３３から抜け落ちることを防止することができる。
【００５９】
さらに、本実施の形態によれば、第１の係止部である爪部３２と第２の係止部３３ａの段部とが係合した状態が解除されるのを第３の部材３４に備えられた規制部としての壁部で規制するため、抜け落ちを防止することができるとともに、抜け止め部３４ａとして壁部を立設するだけなので簡易な構造で抜け落ちを防止することができる。
【００６０】
また、本発明によれば、第２の部材３３ａは、爪部３２の側方への動きを規制する凹部３３ｂを備えるため、爪部３２は、側方への動きを規制されるので、より確実に抜け落ちを防止することができる。
【００６１】
また、本実施の形態によれば、抜け止め部３４ａとして、爪部３２と第２の係止部３３ａの段部とが係合した状態で嵌め込まれる孔を構成したことで、爪部３２と段部とが係合された状態で当該孔に嵌め込まれれば、抜け落ちをより確実に防止することができるとともに、抜け止め部３４ａの内壁部が壁部として機能するので、高さ方向を縮めることが可能となる。
【産業上の利用可能性】
【００６２】
以上の説明においては、本発明をパチンコ遊技機本体が遊技台に取り付けられた遊技機に適用した場合が説明されているが、本発明はこれに限定されるものではなく、パチスロ機、雀球、スマートボールあるいはゲームセンターに設置された各種ゲーム機など、種々の遊技機に適用することが可能である。
【図面の簡単な説明】
【００６３】
【図１】本発明の一実施の形態である遊技機を示す斜視図である。
【図２】図１の遊技機の遊技盤を示す概略図である。
【図３】図２の遊技盤に設けられた電飾部材を示す斜視図である。
【図４】図３の電飾部材の分解斜視図である。
【図５】図３の電飾部材の背面側を示す分解斜視図である。
【図６】図３の電飾部材の要部を示す断面図である。
【図７】図５のレンズ体の爪部を第２の部材の第２の係止部に係止させた場合を示す説明図である。
【図８】第３の部材に、図７の第２の部材を係合するとともに、爪部の先端を抜け止め部に嵌め込んだ場合を示す説明図である。
【図９】電飾部材、遊技盤およびベース盤を示す斜視図である。
【符号の説明】
【００６４】
１  パチンコ遊技機（遊技機）
２ａ  遊技盤
２ｂ  遊技領域
３  遊技機本体
３ａ  本体枠
３ｂ  ベース枠
４  ガラス扉
５  皿ユニット
５ａ  上皿
５ｂ  下皿
６  レール
７  発射ハンドル
８ａ，８ｂ  スピーカ
１０  シャッタレバー
１２ａ  第１の始動口
１２ｂ  第２の始動口
１３  大入賞口
１４  アウト口
１５  始動ゲート
３０  電飾部材
３１（３１ａ，３１ｂ，３１ｃ）  レンズ体（第１の部材）
３２  爪部（第１の係止部）
３３  第２の部材
３３ａ  第２の係止部（階部）
３３ｂ  凹部
３４  第３の部材  
３４ａ  抜け止め部（規制部，壁部）
４０  ベース盤
４１  ランプ，ＬＥＤ（光照射部材）
【図１】
2006068165.tif 000003
【図２】
2006068165.tif 000004
【図３】
2006068165.tif 000005
【図４】
2006068165.tif 000006
【図５】
2006068165.tif 000007
【図６】
2006068165.tif 000008
【図７】
2006068165.tif 000009
【図８】
2006068165.tif 000010
【図９】
2006068165.tif 000011